(57)【要約】【課題】景観の確保とプライバシーの保護との両立、または人が存在することの報知を行うことのできるＯＬＥＤ点灯装置を提供すること。【解決手段】ＯＬＥＤパネル２０と、照度センサ１２と、制御装置１４と、を具備する。ＯＬＥＤパネル２０は、非点灯時には光を透過し、点灯時には一方の面である照射面２１側から光を照射する。照度センサ１２は、ＯＬＥＤパネル２０における照射面２１の反対の面側の環境状態を検出する。制御装置１４は、照度センサ１２で検出した環境状態に応じて点灯しているＯＬＥＤパネル２０の調光、またはＯＬＥＤパネルの点灯と非点灯の切り替えを行う。【選択図】図１
2015176726.tif 000002
【特許請求の範囲】
【請求項１】
非点灯時には光を透過し、点灯時には一方の面である照射面側から光を照射するＯＬＥＤパネルと；
前記ＯＬＥＤパネルにおける前記照射面の反対の面側の環境状態を検出する環境検出手段と；
前記環境検出手段で検出した前記環境状態に応じて点灯している前記ＯＬＥＤパネルの調光、または前記ＯＬＥＤパネルの点灯と非点灯の切り替えを行う制御手段と；
を具備するＯＬＥＤ点灯装置。
【請求項２】
前記環境検出手段は、前記環境状態として、前記ＯＬＥＤパネルにおける前記照射面の反対の面側の明るさを検出し、
前記制御手段は、前記環境検出手段で検出した明るさに応じて、前記ＯＬＥＤパネルの調光を行う請求項１に記載のＯＬＥＤ点灯装置。
【請求項３】
前記制御手段は、前記環境検出手段で検出した明るさが明るくなるに従って、前記ＯＬＥＤパネルの光度を上げる請求項２に記載のＯＬＥＤ点灯装置。
【請求項４】
前記制御手段は、前記環境検出手段で検出した明るさよりも、前記ＯＬＥＤパネルの光度の方が高くなるように制御する請求項３に記載のＯＬＥＤ点灯装置。
【請求項５】
前記環境検出手段は、前記環境状態として、前記ＯＬＥＤパネルにおける前記照射面の反対の面側にいる人を検出し、
前記制御手段は、前記環境検出手段で検出した人に応じて、前記ＯＬＥＤパネルの点灯と非点灯の切り替えを行う請求項１に記載のＯＬＥＤ点灯装置。
【請求項６】
前記ＯＬＥＤパネルは、複数の領域ごとに点灯することが可能になっており、
前記環境検出手段は、前記ＯＬＥＤパネルの複数の領域ごとに、前記照射面の反対の面側にいる人を検出し、
前記制御手段は、前記ＯＬＥＤパネルの複数の領域のうち、前記環境検出手段で人を検出しない領域は非点灯にし、前記環境検出手段で人を検出した領域は点灯させる請求項５に記載のＯＬＥＤ点灯装置。
【発明の詳細な説明】
【技術分野】
【０００１】
本発明の実施形態は、ＯＬＥＤを用いる点灯装置に関する。
【背景技術】
【０００２】
近年では、照明装置等に用いる光源として、有機エレクトロルミネッセンスを利用した有機発光ダイオード、即ち、ＯＬＥＤ（Ｏｒｇａｎｉｃ  Ｌｉｇｈｔ−Ｅｍｉｔｔｉｎｇ  Ｄｉｏｄｅ）を用いているものがある。ＯＬＥＤを用いたＯＬＥＤパネルは、陽極と陰極との間に発光層が配設されており、陽極から正孔を注入し、陰極から電子を注入し、発光層でこれらを再結合することにより、その時に発生するエネルギによって発光する。
【０００３】
一般的なＯＬＥＤパネルは、ガラス基板上に陽極として透明電極を配設し、輸送層や発光層を順次成膜し、さらに陰極を成膜した後、ガラス封止キャップで封止することにより製造される。また、ＯＬＥＤパネルの陰極は、一般的にはＡｌやＡｇを用いて形成するが、近年では、陰極に透明導電膜であるＩＴＯ（Ｉｎｄｉｕｍ  Ｔｉｎ  Ｏｘｉｄｅ）電極等の透明電極を用いることにより両面発光にしたり、陰極を微細配線にして、消灯時は透明で点灯時は片面だけ発光したりする等の構造も開発されている。
【先行技術文献】
【特許文献】
【０００４】
【特許文献１】特許第４２９３３１４号公報
【発明の概要】
【発明が解決しようとする課題】
【０００５】
ここで、エスカレータやエレベータ等の設備は、不特定多数の人が存在する施設内に設置されることが多くなっている。このため、景観を向上させるために、照明装置を用いてこれらの設備を明るく照らしたり、これらの設備の内側と外側とを区画するパーテーション材に透明な部材を使用したりした場合、エスカレータ等の利用者は、周囲の人の目に晒されることになる。
【０００６】
また、道路には、夜間の視認性を確保するために照明装置である街灯が設置されているが、通常街灯は、所定の間隔を開けて設置されている。このため道路は、夜間の視認性が良好でない場所も多く、このような場所では、歩道を歩く歩行者を車道側から認識するのは困難なものとなっている。特に、車道と歩道とがガードレール等のパーテーション材によって区画されている道路では、車道を走行する車両のヘッドランプからの光によってパーテーション材が明るく照らされ、歩道を歩く歩行者は相対的に暗くなることにより、車両からは認識し難くなることがある。パーテーション材は、一般的には空間を仕切るために用いられるが、用途によっては、プライバシーの保護や人の存在の認知性について改良の余地があった。
【０００７】
本発明は、上記に鑑みてなされたものであって、景観の確保とプライバシーの保護との両立、または人が存在することの報知を行うことのできるＯＬＥＤ点灯装置を提供することを目的とする。
【課題を解決するための手段】
【０００８】
実施形態のＯＬＥＤ点灯装置は、ＯＬＥＤパネルと；環境検出手段と；制御手段と；を具備する。ＯＬＥＤパネルは、非点灯時には光を透過し、点灯時には一方の面である照射面側から光を照射する。環境検出手段は、ＯＬＥＤパネルにおける照射面の反対の面側の環境状態を検出する。制御手段は、環境検出手段で検出した環境状態に応じて点灯しているＯＬＥＤパネルの調光、またはＯＬＥＤパネルの点灯と非点灯の切り替えを行う。
【発明の効果】
【０００９】
本発明によれば、景観の確保とプライバシーの保護との両立、または人が存在することの報知を行うことができる。
【図面の簡単な説明】
【００１０】
【図１】図１は、実施形態１に係るＯＬＥＤ点灯装置が用いられるエスカレータの概略図である。
【図２】図２は、図１に示すＯＬＥＤパネルの詳細断面図である。
【図３】図３は、図２のＡ−Ａ断面図である。
【図４】図４は、ＯＬＥＤパネルの非点灯時の説明図である。
【図５】図５は、ＯＬＥＤパネルの点灯時の説明図である。
【図６】図６は、実施形態２に係るＯＬＥＤ点灯装置が用いられるガードレールの説明図である。
【図７】図７は、図６に示すガードレールを歩道側から見た説明図である。
【図８】図８は、実施形態３に係るＯＬＥＤ点灯装置が用いられるテーブルの斜視図である。
【図９】図９は、図８のＢ−Ｂ断面図である。
【図１０】図１０は、図９のＣ−Ｃ矢視図である。
【図１１】図１１は、図８に示すテーブルの使用態様についての説明図である。
【発明を実施するための形態】
【００１１】
以下で説明する実施形態に係るＯＬＥＤ点灯装置１６、６４、９０は、ＯＬＥＤパネル２０と、照度センサ１２または人感センサ６６、９６と、制御装置１４、６８と、を具備する。ＯＬＥＤパネル２０は、非点灯時には光を透過し、点灯時には一方の面である照射面２１側から光を照射する。照度センサ１２または人感センサ６６、９６は、ＯＬＥＤパネル２０における照射面２１の反対の面側の環境状態を検出する。制御装置１４、６８は、照度センサ１２または人感センサ６６、９６で検出した環境状態に応じて点灯しているＯＬＥＤパネル２０の調光、またはＯＬＥＤパネルの点灯と非点灯の切り替えを行う。
【００１２】
また、以下で説明する実施形態に係るＯＬＥＤ点灯装置１６では、照度センサ１２は、環境状態として、ＯＬＥＤパネル２０における照射面２１の反対の面側の明るさを検出し、制御装置１４は、照度センサ１２で検出した明るさに応じて、ＯＬＥＤパネル２０の調光を行う。
【００１３】
また、以下で説明する実施形態に係るＯＬＥＤ点灯装置１６では、制御装置１４は、照度センサ１２で検出した明るさが明るくなるに従って、ＯＬＥＤパネル２０の光度を上げる。
【００１４】
また、以下で説明する実施形態に係るＯＬＥＤ点灯装置１６では、制御装置１４は、照度センサ１２で検出した明るさよりも、ＯＬＥＤパネル２０の光度の方が高くなるように制御する。
【００１５】
また、以下で説明する実施形態に係るＯＬＥＤ点灯装置６４、９０では、人感センサ６６、９６は、環境状態として、ＯＬＥＤパネル２０における照射面２１の反対の面側にいる人を検出し、制御装置６８は、人感センサ６６、９６で検出した人に応じて、ＯＬＥＤパネル２０の点灯と非点灯の切り替えを行う。
【００１６】
また、以下で説明する実施形態に係るＯＬＥＤ点灯装置６４では、ＯＬＥＤパネル２０は、複数の領域ごとに点灯することが可能になっており、人感センサ６６は、ＯＬＥＤパネル２０の複数の領域ごとに、照射面２１の反対の面側にいる人を検出し、制御装置６８は、ＯＬＥＤパネル２０の複数の領域のうち、人感センサ６６で人を検出しない領域は非点灯にし、人感センサ６６で人を検出した領域は点灯させる。
【００１７】
〔実施形態１〕
次に、実施形態１に係るＯＬＥＤ点灯装置を図面に基づいて説明する。図１は、実施形態１に係るＯＬＥＤ点灯装置が用いられるエスカレータの概略図である。図１に示すエスカレータ１は、複数のステップ２と、一対の欄干パネル４と、手摺りベルト６とを有して構成されている。このうち、ステップ２は、エスカレータ１の利用対象である利用者が乗るものであり、駆動装置（図示省略）により、上下方向の両端に位置する乗降口１０の間を循環移動する。
【００１８】
欄干パネル４は、外部に面しているステップ２の移動方向に直交する方向を左右方向とする場合におけるステップ２の左右両側に、複数のステップ２を挟んで対向して設置されている。手摺りベルト６は、利用者が手をかけるものとして設けられており、欄干パネル４のそれぞれの周縁部に移動可能に巻き付けられ、上下方向の両端に位置するベルト引込口８の間を、駆動装置により各ステップ２の移動に同期して移動する。
【００１９】
本実施形態１に係るＯＬＥＤ点灯装置１６は、このエスカレータ１の欄干パネル４に用いられている。つまり、ＯＬＥＤ点灯装置１６は、板状のパーテーション材として形成されており、エスカレータ１における、ステップ２の左右両側に配設されており、左右のＯＬＥＤ点灯装置１６が互いに対向して、厚さ方向が左右方向になる向きで立設されている。
【００２０】
このＯＬＥＤ点灯装置１６は、ＯＬＥＤ（Ｏｒｇａｎｉｃ  Ｌｉｇｈｔ−Ｅｍｉｔｔｉｎｇ  Ｄｉｏｄｅ）を用いたＯＬＥＤパネル２０を用いて構成されている。このため、換言するとＯＬＥＤ点灯装置１６は、ＯＬＥＤパネル２０がステップ２の左右両側の位置、即ち、ステップ２に搭乗したエスカレータ１の利用者の両脇に位置して、互いに対向する向きで配設されている。
【００２１】
このＯＬＥＤパネル２０は、点灯して光を照射することが可能になっており、点灯時には厚さ方向における両面のうち、他方のＯＬＥＤパネル２０が位置する側の反対側に光を照射する向きで配設されている。即ち、ＯＬＥＤパネル２０は、点灯時に光を照射する面である照射面２１が、エスカレータ１の左右方向における外側に面して配設されている。
【００２２】
また、エスカレータ１には、環境状態として明るさを検出する環境検出手段である照度センサ１２が設けられている。照度センサ１２は、例えばフォトダイオード等が用いられることにより、周囲の明るさを検出することが可能になっている。この照度センサ１２は、左右のＯＬＥＤ点灯装置１６同士の間に配設されており、ＯＬＥＤ点灯装置１６を支持している部分に設置されている。これにより、照度センサ１２は、左右のＯＬＥＤ点灯装置１６間の部分の明るさを検出することが可能になっている。
【００２３】
ＯＬＥＤパネル２０や照度センサ１２は、ＯＬＥＤパネル２０の点灯と非点灯とを切り替える制御手段である制御装置１４が接続されている。本実施形態１に係るＯＬＥＤ点灯装置１６は、ＯＬＥＤパネル２０と、環境検出手段である照度センサ１２と、この制御装置１４とにより構成されている。制御装置１４は、照度センサ１２で検出した明るさに応じて、点灯しているＯＬＥＤパネル２０の調光を行うことが可能になっている。制御装置１４のハード構成は、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部等を備えた公知の構成であるため、説明は省略する。このように構成される制御装置１４は、図１では便宜上外に出して説明しているが、実際にはエスカレータ１の運転制御を行う制御装置（図示省略）と共に、乗降口１０の下方に設置されている。
【００２４】
図２は、図１に示すＯＬＥＤパネルの詳細断面図である。ＯＬＥＤパネル２０は、光を透過するガラス材料からなる板状の部材であるガラス基板３０上に、正孔を伝導する陽極２２と、電子を伝導する陰極２３とが配設されており、発光させる部分で、正孔輸送層２４と電子輸送層２５と発光層２６とが積層されることにより形成されている。このうち、正孔輸送層２４は、陽極２２で伝導された正孔を輸送することが可能になっており、陽極２２におけるガラス基板３０側の反対側に積層されている。
【００２５】
また、電子輸送層２５は、陰極２３で伝導された電子を輸送することが可能になっており、正孔輸送層２４における、陽極２２側の反対側に位置している。また、発光層２６は、積層方向において正孔輸送層２４と電子輸送層２５との間に位置しており、正孔輸送層２４で輸送した正孔と、電子輸送層２５で輸送した電子とが発光層２６で結合することにより、発光層２６の発光材料が発光することが可能になっている。
【００２６】
また、陰極２３は、正孔輸送層２４、発光層２６、電子輸送層２５が積層される部分では、ガラス基板３０から離れ、電子輸送層２５における発光層２６側の反対側の面に配設されている。詳しくは、陰極２３は、ガラス基板３０に積層されている部分から離れ、積層されている陽極２２、正孔輸送層２４、発光層２６、電子輸送層２５との間に絶縁部２７を介在させて、電子輸送層２５における発光層２６側の反対側の面にかけて配設されている。これにより、陰極２３は、当該陰極２３で伝導する電子を、電子輸送層２５のみに対して受け渡すことが可能になっている。
【００２７】
これらのように、ガラス基板３０における一方の面に配設される陽極２２や陰極２３、正孔輸送層２４、発光層２６、電子輸送層２５が積層される側の面には、これらが配設された状態で、封止ガラス３１が配設され、封止部材３２により支持されている。詳しくは、封止ガラス３１は、例えばガラス基板３０と同様にガラス材料によって形成される等、光を透過する材料によって板状に形成されている。
【００２８】
また、封止部材３２も同様に光を透過する材料からなり、ガラス基板３０における陽極２２や陰極２３等が配設されている側の面に、当該封止部材３２を介在させて封止ガラス３１を重ねることにより、ガラス基板３０側に対して封止ガラス３１を支持する部材になっている。陽極２２や陰極２３等が配設されたガラス基板３０は、このように封止部材３２を介して封止ガラス３１を配設し、さらに双方の間に光を透過する封止剤３４を封入することにより、ガラス基板３０における各部材が配設された側の面を封止する。
【００２９】
これらのように形成されるＯＬＥＤパネル２０は、ガラス基板３０側と封止ガラス３１側とのうち、ガラス基板３０側が、ＯＬＥＤパネル２０の点灯時に光を照射する照射面２１になっている。即ち、ＯＬＥＤパネル２０は、ガラス基板３０における、陽極２２等が配設される側の反対側の面が、照射面２１になっている。ＯＬＥＤパネル２０は、この照射面２１がエスカレータ１の左右方向における外側に面する向きで、ステップ２の左右方向両側に配設されている。
【００３０】
また、ＯＬＥＤパネル２０を構成する部材のうち、陽極２２は、透明導電膜であるＩＴＯ（Ｉｎｄｉｕｍ  Ｔｉｎ  Ｏｘｉｄｅ）電極が用いられている。また、正孔輸送層２４、発光層２６、電子輸送層２５も、光を透過する材料によって形成されることにより、または、薄膜であることにより、光を透過することが可能になっている。一方、陰極２３はアルミニウムや銀等の、電気伝導率が高く、光を透過せずに反射する高反射部材により形成されている。
【００３１】
図３は、図２のＡ−Ａ断面図である。高反射部材により形成される陰極２３は、例えば微細配線となって、所定の配線パターンで形成されており、ＯＬＥＤパネル２０を厚さ方向に見た場合、隣り合う陰極２３と陰極２３との間は、空隙３６なっている。陰極２３は、光を透過しない部材によって形成される一方、他の部材は光を透過するようになっているため、ＯＬＥＤパネル２０を厚さ方向に見た場合は、陰極２３の位置では光を透過せず、陰極２３と陰極２３との間の空隙３６では、光を透過することが可能になっている。このため、ＯＬＥＤパネル２０は、このように光が空隙３６を透過することにより、非点灯時は光を透過することが可能になっている。なお、ＯＬＥＤパネル２０を厚さ方向に見た場合における陰極２３と空隙３６との割合は、所望の光の透過率に応じて適宜設定するのが好ましい。
【００３２】
この実施形態１に係るＯＬＥＤ点灯装置１６は、以上のごとき構成からなり、以下、その作用について説明する。図４は、ＯＬＥＤパネルの非点灯時の説明図である。エスカレータ１のステップ２の左右両側に設けられるＯＬＥＤパネル２０は、制御装置１４によって調光することが可能になっているが、まず、ＯＬＥＤパネル２０の点灯時と非点灯時との状態について説明する。ＯＬＥＤパネル２０の非点灯時には、ＯＬＥＤパネル２０には電気が印加されず、正孔や電子が供給されないため、発光層２６では発光が行われない。この状態では、ＯＬＥＤパネル２０から照射する光はないため、ＯＬＥＤパネル２０の近傍にいる人は、ＯＬＥＤパネル２０における光を透過する部分を透過した光を視認することができる。
【００３３】
つまり、ＯＬＥＤパネル２０に対して厚さ方向に入射する光は、陰極２３のみで遮光され、空隙３６の部分では透過する。このため、ＯＬＥＤパネル２０におけるガラス基板３０側にいる人は、封止ガラス３１側からガラス基板３０側に向かい、空隙３６を透過してから電子輸送層２５、発光層２６、正孔輸送層２４、陽極２２を透過し、さらにガラス基板３０を透過する透過光Ｔを視認することができる。同様に、ＯＬＥＤパネル２０における封止ガラス３１側にいる人は、ガラス基板３０側から封止ガラス３１側に向かい、空隙３６を透過した透過光Ｔを視認することができる。
【００３４】
図５は、ＯＬＥＤパネルの点灯時の説明図である。これに対し、ＯＬＥＤパネル２０を点灯させる際には、ＯＬＥＤパネル２０に電気を印加する。これにより、陽極２２では正孔を伝導し、伝導した正孔は、正孔輸送層２４によって発光層２６に向けて輸送する。また、陰極２３では電子を伝導し、伝導した電子は、電子輸送層２５によって発光層２６に向けて輸送する。正孔輸送層２４で輸送された正孔と、電子輸送層２５で輸送された電子とが発光層２６に運び込まれると、これらの正孔と電子とは、発光層２６で結合する。これにより、発光層２６の発光材料が発光する。
【００３５】
発光層２６で発光した光のうち、ガラス基板３０側に向かう光は、正孔輸送層２４や、透明電極からなる陽極２２を透過し、さらにガラス基板３０を透過することにより、照射光Ｌとして照射面２１から出射する。
【００３６】
一方、発光層２６で発光した光のうち、封止ガラス３１側に向かう光は、電子輸送層２５を透過して陰極２３に到達する。陰極２３は、光を透過しないで反射する高反射部材により形成されているため、陰極２３に到達した光は、陰極２３で反射される。陰極２３で反射された光は、ガラス基板３０の方向に向かい、発光層２６からガラス基板３０側に向かう光と同様に、照射光Ｌとして照射面２１から出射する。ＯＬＥＤパネル２０の点灯時は、このように照射光Ｌが照射面２１から出射することにより、照射面２１が位置する側の方向に光が照射される。
【００３７】
また、ＯＬＥＤパネル２０の点灯時においても、空隙３６を透過することにより光はＯＬＥＤパネル２０を透過する。このため、ガラス基板３０側からＯＬＥＤパネル２０に入射した光は、ＯＬＥＤパネル２０を透過する透過光Ｔとなって封止ガラス３１側に透過する。よって、点灯時でも封止ガラス３１側にいる人は、ガラス基板３０側から封止ガラス３１側に向かい、空隙３６を透過した透過光Ｔを視認することができる。
【００３８】
一方、封止ガラス３１側からＯＬＥＤパネル２０に入射した光も、ＯＬＥＤパネル２０を透過する透過光Ｔ’となってガラス基板３０側に透過する。しかし、封止ガラス３１側からガラス基板３０側に透過する透過光Ｔ’は、ＯＬＥＤパネル２０の点灯時に照射面２１から出射する照射光Ｌに対して、光量が少なくなっている。このため、ガラス基板３０側にいる人は、封止ガラス３１側からガラス基板３０側に向かう透過光Ｔ’を視認することは困難なものとなっている。つまり、ＯＬＥＤパネル２０の点灯時の照射光Ｌは、封止ガラス３１側からガラス基板３０側に向かう透過光Ｔ’よりも、光量が多いため、この透過光Ｔ’は、照射光Ｌにかき消されてしまう。このため、ＯＬＥＤパネル２０におけるガラス基板３０側にいる人は、封止ガラス３１側からガラス基板３０側に向かう透過光Ｔ’を視認することが非常に困難、或いは、視認することが出来なくなっている。
【００３９】
このように、ＯＬＥＤパネル２０の点灯時は、ガラス基板３０側、即ち、照射面２１側から照射光Ｌを照射するが、ガラス基板３０側から封止ガラス３１側に透過する透過光Ｔを視認することが可能になっている。また、封止ガラス３１側からガラス基板３０側にＯＬＥＤパネル２０を透過する透過光Ｔ’の視認性は、ＯＬＥＤパネル２０から照射される照射光Ｌの光量との相対関係に依存するため、照射光Ｌの光量が少ないときは透過光Ｔ’を比較的視認し易く、照射光Ｌの光量が多くなるに従って透過光Ｔ’を視認し難くなる。
【００４０】
このように構成されるＯＬＥＤパネル２０は、照度センサ１２で検出した明るさに応じて制御装置１４によって調光が行われ、具体的には、検出した明るさが比較的暗いときには照射光Ｌの光量が低減し、検出した明るさが明るくなるに従って、ＯＬＥＤパネル２０の光度を上げるように調光が行われることで、照射光Ｌが照射されているガラス基板３０側からＯＬＥＤパネル２０側を介して封止ガラス側３１を視認し難くしている。特に照度センサ１２で検出した明るさよりも、照射光Ｌが大きくなるように構成することで、視認できないようにするのが望ましい。
【００４１】
ＯＬＥＤパネル２０は、点灯状態に関わらず、ガラス基板３０側から厚さ方向に入射する光も、封止ガラス３１側から厚さ方向に入射する光も透過する。このため、欄干パネル４に用いられるＯＬＥＤパネル２０は、エスカレータ１の左右方向外側から、ステップ２側に透過する光を透過する。従って、ステップ２に搭乗してエスカレータ１を利用するエスカレータ１の利用者は、エスカレータ１の左右方向外側の状況を、ＯＬＥＤパネル２０を透過する透過光Ｔによって視認することができる。
【００４２】
また、ＯＬＥＤパネル２０から照射される照射光Ｌの光量が少ない状態では、ＯＬＥＤパネル２０から、エスカレータ１の左右方向外側に向かう照射光Ｌが少なくなっている。このため、この場合は、ステップ２側からエスカレータ１の左右方向外側に向かう透過光Ｔは、照射光Ｌによってかき消され難くなっている。しかし、ＯＬＥＤパネル２０の照射光Ｌの光量が少なくなるのは、欄干パネル４間の部分が比較的暗い状況のときであるため、ステップ２側からエスカレータ１の左右方向外側に向かう透過光Ｔの光量自体が少なくなっている。このため、欄干パネル４間の部分の状況は、エスカレータ１の左右方向外側からは認識し難くなっており、光によってパーテーション材として機能する。
【００４３】
これに対し、エスカレータ１の近傍に設置される照明装置でエスカレータ１が明るく照らされること等により、照度センサ１２で検出した明るさが、欄干パネル４間の部分が比較的明るい状態であることを示している場合は、エスカレータ１の左右方向外側からステップ２側が見えることを抑制すべく、制御装置１４は、ＯＬＥＤパネル２０の光度を上げるように調光する。ＯＬＥＤパネル２０は、光度が上がって照射光Ｌの光量が多い場合でも、ガラス基板３０側から厚さ方向に入射する光を透過する。このため、欄干パネル４に用いられるＯＬＥＤパネル２０は、左右方向外側からステップ２側に透過する光を透過する。従って、ステップ２に搭乗してエスカレータ１を利用するエスカレータ１の利用者は、エスカレータ１の左右方向外側の状況を、ＯＬＥＤパネル２０を透過する透過光Ｔによって視認することができる。
【００４４】
また、ＯＬＥＤパネル２０は、照射光Ｌの光量が多い場合でも、封止ガラス３１側から厚さ方向に入射する光を透過するが、この透過光Ｔ’は、照射光Ｌに対して光量が少なくなっているため、エスカレータ１の左右方向における欄干パネル４の外側にいる人は、この透過光Ｔ’を視認することは困難なものとなっている。これにより、エスカレータ１の左右方向における欄干パネル４の外側にいる人は、欄干パネル４間の状況を認識することができず、ステップ２に搭乗している人における、欄干パネル４に重なる部分を認識することができなくなっている。
【００４５】
また、ＯＬＥＤパネル２０からの照射光Ｌは、照射面２１から照射するが、ＯＬＥＤパネル２０は、エスカレータ１の左右方向外側に照射面２１が面する向きで配設されているため、照射光Ｌは、エスカレータ１の左右方向における両方の外側方向に向かう。このため、点灯時のＯＬＥＤパネル２０は、エスカレータ１の左右方向の両側方向を照射光Ｌによって照らし、エスカレータ１の周囲を明るくする。
【００４６】
以上の実施形態１に係るＯＬＥＤ点灯装置１６は、非点灯時には光を透過し、点灯時には照射面２１側から光を照射するＯＬＥＤパネル２０を用いているため、照射面２１の反対の面側からは点灯状態に関わらず透過光Ｔを視認することができるので、この面側からの景観を確保することができる。また、ＯＬＥＤパネル２０における照射面２１の反対の面側の環境状態として、照度センサ１２で検出した明るさに応じてＯＬＥＤパネル２０の調光を行うので、照射面２１の反対の面側の明るさに関わらず、照射面２１側から、反対の面側を見難くすることができる。この結果、景観の確保とプライバシーの保護とを両立するパーテーション材として機能させることができる。また、エスカレータ１の搭乗者は、エスカレータ１を使用して移動しつつ、外側の景色を眺めることができるので、圧迫感を低減することができる。
【００４７】
また、制御装置１４は、照度センサ１２で検出した明るさに応じて、ＯＬＥＤパネル２０の調光を行うため、封止ガラス３１が位置している側の面の明るさに関わらず、照射面２１から照射される照射光Ｌの光量を、照射面２１から出射する透過光Ｔをかき消すことができる光量にすることができる。この結果、照射面２１の反対の面側の明るさに関わらず、照射面２１側から反対の面側を見難くすることができ、景観を確保しつつ、より確実にプライバシーの保護を確保することができる。
【００４８】
また、制御装置１４は、照度センサ１２で検出した明るさが明るくなるに従って、ＯＬＥＤパネル２０の光度を上げるため、必要以上に照射光Ｌの光量を多くすることを抑制することができ、必要最小限の電力消費量で、照射面２１側から反対の面側を見難くすることができる。この結果、電力消費量を抑えつつ、景観の確保とプライバシーの保護とを両立することができる。
【００４９】
また、制御装置１４は、照度センサ１２で検出した明るさよりも、ＯＬＥＤパネル２０の光度の方が高くなるように制御するため、照射面２１側から反対の面側をほぼ見えなくすることができる。
【００５０】
〔実施形態２〕
実施形態２に係るＯＬＥＤ点灯装置６４は、実施形態１に係るＯＬＥＤ点灯装置１６と略同様の構成であるが、ＯＬＥＤ点灯装置６４で情報を報知する点に特徴がある。他の構成は実施形態１と同様なので、その説明を省略すると共に、同一の符号を付す。
【００５１】
図６は、実施形態２に係るＯＬＥＤ点灯装置が用いられるガードレールの説明図である。実施形態２に係るＯＬＥＤ点灯装置６４は、実施形態１に係るＯＬＥＤ点灯装置１６とは異なり、道路の車道５０と歩道５４とを区画するガードレール６０に用いられる。つまり、歩道５４は、車道５０の幅方向、即ち、車道５０を走行する車両の左右方向における、センターライン５２が位置する側の反対側に位置しており、ガードレール６０は、この歩道５４と車道５０との境界部分に立設され、車道５０や歩道５４に沿って設けられている。
【００５２】
このガードレール６０は、車道５０や歩道５４に沿って複数の支柱６２が立設され、隣り合う支柱６２間にＯＬＥＤ点灯装置６４が架け渡されることにより形成される。詳しくは、ＯＬＥＤ点灯装置６４は、長手方向の長さが隣り合う支柱６２同士の間隔と同程度の長さで、短い辺側の長さが、支柱６２の長さよりも短い長さとなる長方形の略板状の形状で形成されている。このように板状に形成されるＯＬＥＤ点灯装置６４は、互いに隣り合う支柱６２間に、厚さ方向が車道５０や歩道５４の幅方向になる向きで位置して、長手方向の両端がそれぞれ支柱６２に接続されている。これにより、ガードレール６０は、車道５０と歩道５４に沿って形成され、車道５０と歩道５４とを区画している。
【００５３】
また、ＯＬＥＤ点灯装置６４は、実施形態１に係るＯＬＥＤ点灯装置１６と同様に、ＯＬＥＤパネル２０を用いて構成されている。このＯＬＥＤパネル２０も、実施形態１に係るＯＬＥＤ点灯装置１６のＯＬＥＤパネル２０と同様に、非点灯時には光を透過し、点灯時には照射面２１から光を照射することができるように構成されており、照射面２１が、車道５０側に面する向きで配設されている。
【００５４】
図７は、図６に示すガードレールを歩道側から見た説明図である。ガードレール６０には、ＯＬＥＤパネル２０の照射面２１の反対の面側、即ち、歩道５４側の面側に、この面側の環境状態を検出する環境検出手段である人感センサ６６が配設されている。この人感センサ６６は、隣り合う支柱６２間に配設されるＯＬＥＤパネル２０ごとに設けられており、歩道５４を歩く人がそれぞれの人感センサ６６に接近した際に、各人感センサ６６は、この人を検出することが可能になっている。つまり、ＯＬＥＤパネル２０は、複数が車道５０や歩道５４に沿って配設されることにより複数の領域を有して設けられ、複数の領域ごとに点灯することが可能になっており、人感センサ６６は、ＯＬＥＤパネル２０の複数の領域ごとに、照射面２１の反対の面側にいる人を検出可能になっている。
【００５５】
これらのＯＬＥＤパネル２０や人感センサ６６は、制御手段である制御装置６８に電気的に接続されており、制御装置６８は、人感センサ６６で検出した人の状態に応じて、ＯＬＥＤパネル２０の点灯と非点灯の切り替えを行うことが可能になっている。即ち、制御装置６８は、ＯＬＥＤパネル２０の複数の領域のうち、人感センサ６６で人を検出しない領域は非点灯にし、人感センサ６６で人を検出した領域は点灯させることができるようになっている。本実施形態２に係るＯＬＥＤ点灯装置６４は、ＯＬＥＤパネル２０と、環境検出手段である人感センサ６６と、この制御装置６８とにより構成されている。
【００５６】
制御装置６８は、複数のＯＬＥＤパネル２０の点灯と非点灯の切り替え制御や、複数の人感センサ６６での人の検出結果の取得を１つの制御装置６８で行うことが可能になっており、例えば、所定の支柱６２に備えられている。ＯＬＥＤ点灯装置６４は、このような組み合わせが１つの組になって、ガードレール６０の延在方向に複数が設けられている。
【００５７】
この実施形態２に係るＯＬＥＤ点灯装置６４は、以上のごとき構成からなり、以下、その作用について説明する。本実施形態２に係るＯＬＥＤ点灯装置６４が備えるＯＬＥＤパネル２０は、支柱６２間に位置するＯＬＥＤパネル２０ごとに点灯することが可能になっている。換言すると、ＯＬＥＤパネル２０は、支柱６２間の各ＯＬＥＤパネル２０が１つの領域として画成されており、ＯＬＥＤ点灯装置６４は、複数の領域を有してＯＬＥＤパネル２０を備えている。このように設けられるＯＬＥＤパネル２０は、複数の領域ごとに点灯することが可能になっている。
【００５８】
人感センサ６６は、支柱６２間に位置するＯＬＥＤパネル２０ごとに、即ち、ＯＬＥＤパネル２０の複数の領域ごとに、照射面２１の反対の面側にいる人を検出することが可能になっており、制御装置６８は、人感センサ６６での検出結果に応じて、ＯＬＥＤパネル２０の点灯と非点灯とを切り替える。具体的には、制御装置６８は、通常時はＯＬＥＤパネル２０を非点灯の状態にする。このため、支柱６２間の各ＯＬＥＤパネル２０は、車道５０側から歩道５４側に向かう光と、歩道５４側から車道５０側に向かう光とを、共に透過することができる。
【００５９】
特に日中で晴れている時は、車道５０や歩道５４に照射される太陽光の光量が多いため、日中は車道５０上や歩道５４上で反射する光の量も多くなっており、ＯＬＥＤパネル２０は、これらの反射した多くの光を透過することができる。これにより、この透過した光を視認することにより、車道５０側からは歩道５４側の状況を認識することができ、歩道５４側からは車道５０側の状況を認識することができる。
【００６０】
また、特に夜間において、歩道５４を歩く人を、ある人感センサ６６で検出したら、制御装置６８は、その人感センサ６６が設置されている領域のＯＬＥＤパネル２０を点灯させる。ＯＬＥＤパネル２０は、照射面２１が車道５０側に面して配設されているため、ＯＬＥＤパネル２０の点灯時には、照射光Ｌは車道５０に向かって照射される。即ち、ＯＬＥＤパネル２０の照射面２１は、歩道５４に人がいる部分に該当する照射面２１が点灯する。
【００６１】
また、歩道５４側の人が歩道５４を歩くことにより、それまでこの人を検出していた人感センサ６６がこの人を検出できなくなったら、制御装置６８は、この人感センサ６６が設置されている領域のＯＬＥＤパネル２０を非点灯にする。そして、歩道５４を歩く人を、それまでこの人を検出していた人感センサ６６とは異なる人感センサ６６で検出したら、この人感センサ６６が設置されている領域のＯＬＥＤパネル２０を点灯させる。これにより、車道５０側に面している照射面２１は、歩道５４を歩く人に応じて点灯する部分が変化し、照射面２１は、点灯する部分が、歩道５４を歩く人に沿って移動する。
【００６２】
このため、車道５０を走行する車両のドライバは、このように点灯する部分が移動する照射面２１からの照射光Ｌを視認することにより、歩道５４を歩く人の位置を認識することができる。つまり、夜間は車道５０や歩道５４には太陽光が照射されず、また、荒天時も照射される太陽光の光量が少ないので、車道５０上や歩道５４上で反射し、ＯＬＥＤパネル２０を透過する光の量も少なくなる。このため、車道５０を車両からは、歩道５４の状況を認識し難くなっているが、このような状況でも、ＯＬＥＤパネル２０から照射される照射光Ｌを視認することにより、歩道５４の歩行者を認識することができる。これにより、車道５０を走行する車両のドライバは、この歩行者に注意しながら、車両を運転することができる。
【００６３】
以上の実施形態２に係るＯＬＥＤ点灯装置６４は、人感センサ６６で検出した人に応じて、制御装置６８は、ＯＬＥＤパネル２０の点灯と非点灯の切り替えを行うため、歩道５４側の環境状態を、ＯＬＥＤパネル２０からの照射光Ｌを用いて車道５０側に伝達することができる。この結果、歩道５４に人が存在することの報知手段として機能させることができる。
【００６４】
また、制御装置６８は、ＯＬＥＤパネル２０の複数の領域のうち、人感センサ６６で人を検出しない領域は非点灯にし、人感センサ６６で人を検出した領域は点灯させるため、歩道５４を歩く人に合わせて、歩行者がいる部分のＯＬＥＤパネル２０を点灯させることができる。これにより、歩道５４を歩く人の状態を、より的確に車道５０側に伝達することができる。この結果、歩道５４に存在する人についての報知を、より適切に行うことができる。
【００６５】
〔実施形態３〕
実施形態３に係るＯＬＥＤ点灯装置９０は、実施形態１に係るＯＬＥＤ点灯装置１６と略同様の構成であるが、ＯＬＥＤ点灯装置９０はテーブルに用いられる点に特徴がある。他の構成は実施形態１と同様なので、その説明を省略すると共に、同一の符号を付す。
【００６６】
図８は、実施形態３に係るＯＬＥＤ点灯装置が用いられるテーブルの斜視図である。実施形態３に係るＯＬＥＤ点灯装置９０は、実施形態１に係るＯＬＥＤ点灯装置１６とは異なり、飲食物等を載置するテーブル８０に用いられる。このテーブル８０は、上面に飲食物等を載置する天板８２が、ガラス等の透明な部材で形成されており、天板８２の下面側に、天板８２から下方に延びて天板８２を支持する脚部８４が設けられている。この脚部８４は、略円筒形の形状で形成されており、円筒の軸方向が上下方向になる向きで設けられている。つまり、天板８２は、略円筒形の脚部８４の上端に取り付けられており、脚部８４の下端側が、テーブル８０における床面への設置部分になっている。
【００６７】
ＯＬＥＤ点灯装置９０を構成するＯＬＥＤパネル２０は、略長方形の板状の形状で形成された複数のＯＬＥＤパネル２０が脚部８４に設けられている。詳しくは、ＯＬＥＤパネル２０は、厚さ方向が、略円筒形の脚部８４の壁面の厚さ方向と同じ方向になり、長方形の長手方向が、脚部８４の軸方向、即ち、上下方向になる向きで配設されている。この向きで配設されるＯＬＥＤパネル２０は、２つが上下方向に併設され、これを一組として、脚部８４の円周方向に複数組が並んで設けられている。
【００６８】
また、テーブル８０の脚部８４には、側面に環境検出手段である人感センサ９６（図１１参照）が配設されており、ＯＬＥＤパネル２０は、この人感センサ９６での検出結果に応じて、点灯と非点灯とが切り替えられる。本実施形態３に係るＯＬＥＤ点灯装置９０は、ＯＬＥＤパネル２０と、この人感センサ９６と、実施形態１、２と同様な制御装置（図示省略）とにより構成される。
【００６９】
図９は、図８のＢ−Ｂ断面図である。脚部８４は、略円筒形の支持ケース８６と、内径が支持ケース８６の外径よりも大きい略円筒形の保護ケース８８とからなり、支持ケース８６が保護ケース８８の内側に入った状態で一体に構成されている。これらの支持ケース８６と保護ケース８８とは、天板８２と同様に、共に透明な部材により形成されている。ＯＬＥＤパネル２０は、このうち支持ケース８６に支持されている。
【００７０】
支持ケース８６の内面におけるＯＬＥＤパネル２０を配設する位置は、ＯＬＥＤパネル２０の平面視における形状と同等の形状で支持ケース８６の壁面の厚さ方向に切削されており、ＯＬＥＤパネル２０は、この切削された部分に嵌め込まれている。支持ケース８６は、これにより複数のＯＬＥＤパネル２０を支持している。その際に、ＯＬＥＤパネル２０は、照射面２１側が、支持ケース８６の径方向における外方側に面して配設されている。つまり、複数のＯＬＥＤパネル２０は、脚部８４の径方向における外方を向いて配設されている。保護ケース８８は、このように支持ケース８６により支持されるＯＬＥＤパネル２０を保護する部材として、支持ケース８６を覆うように配設されている。
【００７１】
図１０は、図９のＣ−Ｃ矢視図である。ＯＬＥＤパネル２０に給電する配線は、細い配線を透明な被覆で覆うことにより設けられている。即ち、ＯＬＥＤパネル２０の陽極２２へ給電するためのプラス側の配線であるプラス配線９２と、陰極２３へ給電するためのマイナス側の配線であるマイナス配線９４は、共に細い配線からなり、透明な被覆で覆われている。また、各ＯＬＥＤパネル２０には、プラス配線９２とマイナス配線９４とが、共に２つずつ配設されている。つまり、ＯＬＥＤパネル２０は、発光面積が大きいため、ＯＬＥＤパネル２０に対して一組のプラス配線９２とマイナス配線９４のみで給電を行うと、ＯＬＥＤパネル２０の面内における場所によって、流れる電流量に差が生じ、輝度ムラが発生することがある。このため、本実施形態３に係るＯＬＥＤ点灯装置９０では、この輝度ムラを抑えるために、１つのＯＬＥＤパネル２０に、プラス配線９２とマイナス配線９４とが、２つずつが配設されている。
【００７２】
例えば、２本のプラス配線９２は、長方形のＯＬＥＤパネル２０の短い方の２箇所の辺の近傍に、この辺に沿ってそれぞれ配設し、２本のマイナス配線９４は、ＯＬＥＤパネル２０の長手方向の２箇所の辺の近傍に、この辺に沿ってそれぞれ配設する。このように、１つのＯＬＥＤパネル２０に、２組のプラス配線９２とマイナス配線９４とを配設し、この２組のプラス配線９２とマイナス配線９４で給電を行うことにより、発光面積が大きいＯＬＥＤパネル２０の各部に対して、均等に近い状態で給電することができる。これにより、ＯＬＥＤパネル２０は、点灯時には照射面２１全体で輝度ムラが発生することなく、均等に点灯することができる。
【００７３】
この実施形態３に係るＯＬＥＤ点灯装置９０は、以上のごとき構成からなり、以下、その作用について説明する。図１１は、図８に示すテーブルの使用態様についての説明図である。本実施形態３に係るＯＬＥＤ点灯装置９０を備えるテーブル８０は、例えば飲食店等で使用される。その際、テーブル８０は、脚部８４の人感センサ９６が、テーブル８０と一緒に使用される椅子９８に対向する向きになるように設置する。ＯＬＥＤパネル２０は、実施形態２に係るＯＬＥＤ点灯装置６４と同様に、人感センサ９６で人を検知しないときは非点灯になり、人感センサ９６で人を検知したときに点灯する。
【００７４】
まず、人感センサ９６で人を検知しない場合について説明すると、人感センサ９６は椅子９８に対向しているため、椅子９８に人が着席しないときは、人感センサ９６は人を検知しないため、ＯＬＥＤパネル２０は非点灯になる。ＯＬＥＤパネル２０は、非点灯のときは、厚さ方向におけるいずれの方向にも光を透過し、また、脚部８４を構成する支持ケース８６と保護ケース８８とのいずれも透明な部材により構成されているため、ＯＬＥＤパネル２０の非点灯時は、脚部８４は光を透過する。このため、テーブル８０における椅子９８が位置する側の反対側にいる人は、脚部８４を透過する光を視認することにより、椅子９８側の状況を確認することができ、例えば、椅子９８の足元等に物がある場合でも、このような物を確認することができる。
【００７５】
また、人が椅子９８に着席するなどして、人感センサ９６がこの人を検出した場合、ＯＬＥＤパネル２０は点灯する。ＯＬＥＤパネル２０は、照射面２１が、脚部８４の径方向における外方側に面する向きで配設されているため、ＯＬＥＤパネル２０の点灯時は、ＯＬＥＤパネル２０からの照射光Ｌは、脚部８４の径方向における外方に向けて照射される。これにより、テーブル８０の下方側の周囲が明るく照らされるため、テーブル８０の周囲の美観が向上すると共に、テーブル８０から離れた位置にいる人は、テーブル８０に隣接している椅子９８に人が着席していることを、この光を通じて認識することができる。
【００７６】
また、ＯＬＥＤパネル２０からの照射光Ｌが、脚部８４の径方向における外方に向けて照射されることにより、テーブル８０における椅子９８が位置する側の反対側からは、椅子９８の下方側を視認することが出来なくなる。即ち、椅子９８に着席している人の足付近を視認することができなくなる。
【００７７】
この場合、椅子９８側から透過する光をかき消す光を照射するＯＬＥＤパネル２０は、複数のＯＬＥＤパネル２０のうち、椅子９８が位置する側の反対側に位置するＯＬＥＤパネル２０になっている。ＯＬＥＤパネル２０の点灯によって椅子９８側を視認できないようにすることができるＯＬＥＤパネル２０から見ると、人感センサ９６は、当該ＯＬＥＤパネル２０における照射面２１の反対の面側の環境状態を検出することが可能になっている。本実施形態３に係るＯＬＥＤ点灯装置９０を備えるテーブル８０は、このように、点灯によって照射面２１の反対の面側の環境状態を視認できないようにすることができるＯＬＥＤパネル２０の他に、人感センサ９６が人を検出する側に照射面２１を有するＯＬＥＤパネル２０も備えている。
【００７８】
また、ＯＬＥＤパネル２０は、点灯時でも、照射面２１側から封止ガラス３１側に向かって透過する透過光Ｔは視認することができ、また、天板８２も光を透過する透明な部材により形成されている。このため、椅子９８に着席している人は、テーブル８０の斜め上方から、略円筒形の脚部８４の内面側を介して、脚部８４の径方向外方側の状況を確認することができる。つまり、椅子９８に着席している人は、脚部８４の径方向外方側から脚部８４に入射し、保護ケース８８、支持ケース８６、ＯＬＥＤパネル２０を透過し、さらに、天板８２を透過した光を視認することにより、脚部８４の周囲における、椅子９８が位置している側の反対側の状況を確認することができる。
【００７９】
以上の実施形態３に係るＯＬＥＤ点灯装置９０は、ＯＬＥＤパネル２０の点灯時には、テーブル８０における椅子９８が位置する側の反対側からは、椅子９８に着席している人の足付近を視認することができなくなるため、プライバシーを保護することができる。また、この場合でも、椅子９８に着席している人からは、脚部８４の内面側を介して、脚部８４の径方向外方側の状況を確認することができるため、景観を確保することができる。さらに、点灯によって照射面２１の反対の面側の環境状態を視認できないようにすることができるＯＬＥＤパネル２０の他に、他のＯＬＥＤパネル２０も備えているため、ＯＬＥＤパネル２０の点灯時には周囲を明るく照らすことができ、美観を向上させることができる。この結果、景観の確保とプライバシーの保護とを両立することができ、さらに美観を向上させる照明装置として機能させることができる。
【００８０】
また、ＯＬＥＤパネル２０には、１つのＯＬＥＤパネル２０に２組のプラス配線９２とマイナス配線９４が備えられており、２組のプラス配線９２とマイナス配線９４とを用いてＯＬＥＤパネル２０に給電は行われているため、ＯＬＥＤパネル２０の全体に均等に給電することができる。この結果、点灯時における輝度ムラを低減することができ、美観をさらに向上させることができる。
【００８１】
〔変形例〕
なお、実施形態１に係るＯＬＥＤ点灯装置１６はエスカレータ１におけるパーテーション材として用いられており、実施形態２に係るＯＬＥＤ点灯装置６４はガードレール６０における報知発光装置に用いられており、実施形態３に係るＯＬＥＤ点灯装置９０はテーブル８０として照明装置に用いられているが、各ＯＬＥＤ点灯装置は、これ以外の用途に用いてもよい。例えば、実施形態１に係るＯＬＥＤ点灯装置１６は、部屋の窓に使用し、ＯＬＥＤパネル２０の点灯時には、部屋の外から室内を視認することができないようにしてもよい。この場合、照度センサ１２は、ＯＬＥＤパネル２０と一体にしてもよく、ＯＬＥＤパネル２０とは別体にして、室内の明るさを検出できるようにしてもよい。また、車両における座席のプライベート空間を作るために使用されてもよい。
【００８２】
また、実施形態２に係るＯＬＥＤ点灯装置６４は、エスカレータ１の欄干パネル４に使用し、エスカレータ１に搭乗した人の移動に合わせて、ＯＬＥＤパネル２０の点灯と非点灯とを順次切り替えてもよい。また、実施形態２に係るＯＬＥＤ点灯装置６４は、遊園地等の遊戯施設のアトラクションの入場待ちの部分のパーテーションに使用し、入場待ちの人に合わせてＯＬＥＤパネル２０を点灯させてもよい。これにより、遠くからでも入場待ちの人の凡その数を把握することができ、また、ＯＬＥＤパネル２０が点灯することにより、遊戯施設の美観を向上させることができる。
【００８３】
また、実施形態２に係るＯＬＥＤ点灯装置６４では、１つのＯＬＥＤパネル２０が１つの領域として、ＯＬＥＤパネル２０ごとに点灯と非点灯とが切り替えられているが、点灯と非点灯とを切り替える領域は、ＯＬＥＤパネル２０ごと以外でもよい。例えば、１つのＯＬＥＤパネル２０に、独立して点灯と非点灯とを切り替えることのできる領域を複数画成し、このＯＬＥＤパネル２０ごとの点灯と非点灯とを切り替えてもよい。これにより、歩道５４を歩く人に沿ってＯＬＥＤパネル２０の点灯と非点灯とを切り替えることにより、人が存在することを報知する場合に、より細かく点灯と非点灯とを切り替えることができ、精度よく報知することができる。
【００８４】
また、実施形態２に係るＯＬＥＤ点灯装置６４では、歩道５４側の人を検出した場合は、その部分のＯＬＥＤパネル２０を点灯させているが、日中など明るい状況のときは、人の存在に関わらずＯＬＥＤパネル２０を非点灯にしてもよい。ＯＬＥＤパネル２０は、非点灯時には双方向に光を透過することができるため、明るい環境では、車道５０を走行する車両のドライバは、ＯＬＥＤパネル２０を透過する光を通じて、歩道５４を歩く人を認識することができる。また、このように、明るい状況ではＯＬＥＤパネル２０を常時非点灯にすることにより、電気消費量を低減することができる。
【００８５】
また、実施形態１に係るＯＬＥＤ点灯装置１６は、ＯＬＥＤパネル２０の照射面２１側に、鑑賞対象が位置するように設置してもよい。例えば、動物園の動物や、美術館での美術品等をＯＬＥＤパネルの照射面２１側に配置し、これらを鑑賞する人は、照射面２１の反対側、即ち、封止ガラス３１が位置する側から鑑賞するようにしてもよい。これにより、ＯＬＥＤパネル２０の点灯時には、照射面２１から照射される照射光Ｌによって鑑賞対象を照射することができ、これを鑑賞する人は、照射光Ｌによって明るく照らされた鑑賞対象を、照射面２１側から封止ガラス３１側に透過する透過光Ｔを視認することにより、鑑賞することができる。これにより、鑑賞対象を照らす照明設備の簡略化を図ることができる。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００８７】
１  エスカレータ
２  ステップ
４  欄干パネル
１２  照度センサ（環境検出手段）
１４、６８  制御装置（制御手段）
１６、６４、９０  ＯＬＥＤ点灯装置
２０  ＯＬＥＤパネル
２１  照射面
２２  陽極
２３  陰極
２４  正孔輸送層
２５  電子輸送層
２６  発光層
３０  ガラス基板
３１  封止ガラス
３６  空隙
５０  車道
５４  歩道
６０  ガードレール
６６、９６  人感センサ（環境検出手段）
８０  テーブル
８２  天板
８４  脚部
【図１】
2015176726.tif 000003
【図２】
2015176726.tif 000004
【図３】
2015176726.tif 000005
【図４】
2015176726.tif 000006
【図５】
2015176726.tif 000007
【図６】
2015176726.tif 000008
【図７】
2015176726.tif 000009
【図８】
2015176726.tif 000010
【図９】
2015176726.tif 000011
【図１０】
2015176726.tif 000012
【図１１】
2015176726.tif 000013